(57)【要約】【課題】  電子機器から撮像映像を送信する際に、この撮像映像を置換えて送信できるようにすることが課題になっていた。【解決手段】  実施形態の電子機器は、撮像部で撮像される撮像映像で、他の映像に置換えたい部分が指定可能な部分指定部を備える。  また、前記置換えたい部分が指定された場合に、置換え映像候補を出力し、前記置換えたい部分の置換え映像が指定可能な置換え映像指定部を備える。  また、前記置換え映像が指定された場合に、前記置換えたい部分と前記置換え映像の情報を記憶する記憶部を備える。  また、撮像映像の出力指示を受信した場合に、前記記憶された情報を用い、前記撮像映像の前記置換えたい部分を前記置換え映像に置換えて出力する出力部を備える。【選択図】  図４
2013197740.tif 000002
【特許請求の範囲】
【請求項１】
撮像部で撮像される撮像映像で、他の映像に置換えたい部分が指定可能な部分指定部と、
前記置換えたい部分が指定された場合に、置換え映像候補を出力し、前記置換えたい部分の置換え映像が指定可能な置換え映像指定部と、
前記置換え映像が指定された場合に、前記置換えたい部分と前記置換え映像の情報を記憶する記憶部と、
撮像映像の出力指示を受信した場合に、前記記憶された情報を用い、前記撮像映像の前記置換えたい部分を前記置換え映像に置換えて出力する出力部を備える電子機器。
【請求項２】
前記部分指定部および前記置換え映像指定部は映像表示部の表示を含む請求項１に記載の電子機器。
【請求項３】
前記他の映像に置換えたい部分および前記置換え映像はユーザに指定される請求項１に記載の電子機器。
【請求項４】
前記置換え映像はアバターを含む請求項１に記載の電子機器。
【請求項５】
前記置換え映像は表示をしない映像を含む請求項１に記載の電子機器。
【請求項６】
前記出力された映像を外部機器に向けて送信する請求項１に記載の電子機器。
【請求項７】
撮像部で撮像される撮像映像で、他の映像に置換えたい部分が指定されるステップと、
前記置換えたい部分が指定された場合に、置換え映像候補を出力し、前記置換えたい部分の置換え映像が指定されるステップと、
前記置換え映像が指定された場合に、前記置換えたい部分と前記置換え映像の情報を記憶するステップと、
撮像映像の出力指示を受信した場合に、前記記憶された情報を用い、前記撮像映像の前記置換えたい部分を前記置換え映像に置換えて出力するステップを備える電子機器の制御方法。
【請求項８】
撮像部で撮像される撮像映像で、他の映像に置換えたい部分が指定されるステップと、
前記置換えたい部分が指定された場合に、置換え映像候補を出力し、前記置換えたい部分の置換え映像が指定されるステップと、
前記置換え映像が指定された場合に、前記置換えたい部分と前記置換え映像の情報を記憶するステップと、
撮像映像の出力指示を受信した場合に、前記記憶された情報を用い、前記撮像映像の前記置換えたい部分を前記置換え映像に置換えて出力するステップを備え、電子機器を制御する電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、カメラ等の撮像部を備えたテレビ（ＴＶ）等の電子機器が普及している。
【０００３】
また、これらの電子機器は、複数の電子機器が、例えば、インターネットやＴＶ電話ネットワーク等で接続され、ある電子機器のカメラで撮像された映像を他の電子機器に送信することが可能になっている。
【０００４】
しかし、これらの電子機器は、例えば、家庭に置かれ、ユーザが寝起きであったり、室内が整理されていなかったりした状態で、上記のような撮像映像の送信が行なわれることがあり、例えば、ユーザによっては、自分の顔や室内の映像を送信したくないという要求があった。
【０００５】
このため、電子機器から撮像映像を送信する際に、この撮像映像を置換えて送信できるようにすることが課題になっていた。
【先行技術文献】
【特許文献】
【０００６】
【特許文献１】特開２０１０−３５０９１号公報
【発明の概要】
【発明が解決しようとする課題】
【０００７】
電子機器から撮像映像を送信する際に、この撮像映像を置換えて送信できるようにすることが課題になっていた。
【課題を解決するための手段】
【０００８】
実施形態の電子機器は、撮像部で撮像される撮像映像で、他の映像に置換えたい部分が指定可能な部分指定部を備える。
【０００９】
また、前記置換えたい部分が指定された場合に、置換え映像候補を出力し、前記置換えたい部分の置換え映像が指定可能な置換え映像指定部を備える。
【００１０】
また、前記置換え映像が指定された場合に、前記置換えたい部分と前記置換え映像の情報を記憶する記憶部を備える。
【００１１】
また、撮像映像の出力指示を受信した場合に、前記記憶された情報を用い、前記撮像映像の前記置換えたい部分を前記置換え映像に置換えて出力する出力部を備える。
【図面の簡単な説明】
【００１２】
【図１】実施形態の電子機器が他の電子機器とテレビ電話通信で接続されたテレビ電話ネットワークシステムを示す図。
【図２】実施形態に係る電子機器の外観を示す外観図。
【図３】実施形態に係わる電子機器の構成の一例を示すブロック図。
【図４】実施形態に係る電子機器の映像表示部に表示される、撮像映像における他の映像に置換えたい部分およびこの置換えたい部分の置換え映像を指定可能な表示の一例を示す図。
【図５】実施形態に係る電子機器において、撮像映像の置換えたい部分を置換え映像に置換えて出力する例を示す図。
【図６】実施形態に係る電子機器において、撮像映像の置換えたい部分を置換え映像に置換えて出力する例を示す図。
【図７】実施形態に係る電子機器において、撮像映像における他の映像に置換えたい部分およびこの置換えたい部分の置換え映像を指定し、記憶する動作を説明するフローチャート。
【図８】実施形態に係る電子機器において、撮像映像を置換え映像（アバター）に置換えて送信指示する表示画面の一例を示す図。
【図９】実施形態に係る電子機器の動作を説明するフローチャート。
【発明を実施するための形態】
【００１３】
以下、図面を参照し、実施の形態を説明する。
【００１４】
図１は、実施形態の電子機器が他の電子機器とテレビ電話通信で接続されたテレビ電話ネットワークシステムを示す図である。
【００１５】
ここでは、電子機器の一例として、テレビやパーソナルコンピュータ（ＰＣ）等の映像表示装置を用いて説明を行うが、この実施形態に係る電子機器は、スマートフォンや携帯電話等のより小型の電子機器に適用することも可能である。
【００１６】
図１に示すように、例えば、この実施形態に係る電子機器（映像表示装置）１は、テレビ電話ネットワーク（テレビ電話網）１００を介して他の電子機器（映像表示装置）１０１と接続され、互いに、テレビ電話通信を行なうことが可能である。
【００１７】
なお、電子機器間の通信は、他にもインターネットや他の通信を用いることが可能である。
【００１８】
ここで、テレビ電話通信は、例えば、ＩＳＤＮ（Ｉｎｔｅｇｒａｔｅｄ Ｓｅｒｖｉｃｅｓ  Ｄｉｇｉｔａｌ  Ｎｅｔｗｏｒｋ）やＩＰ（Ｉｎｔｅｒｎｅｔ Ｐｒｏｔｏｃｏｌ：インターネットプロトコル）ネットワークで等のテレビ電話サービスを利用する。
【００１９】
図２は、実施形態に係る電子機器の外観を示す外観図である。
【００２０】
電子機器（映像表示装置）１は、例えば、ユーザによってリモコン（リモートコントローラ）２１が操作され、このリモコン２１から出力されたリモコン信号が電子機器（映像表示装置）１の操作受信部２０で受信される。
【００２１】
リモコン信号を受信した電子機器（映像表示装置）１は、このリモコン信号の指示によって動作し、例えば、ＬＣＤ（Ｌｉｑｕｉｄ  Ｃｒｙｓｔａｌ  Ｄｉｓｐｌａｙ、液晶ディスプレイ）等で構成される表示画面８に、所定の映像を表示出力する。
【００２２】
また、この実施形態に係る電子機器（映像表示装置）１は、図２に示すように、撮像装置（カメラ）３０を備えている。ここでは、撮像装置（カメラ）３０は、音声を集音するマイクロフォンも備えている（図示せず）。
【００２３】
また、この実施形態に係る電子機器（映像表示装置）１は、上記のように、上記テレビ電話ネットワーク（テレビ電話網）１００を介して他の電子機器（映像表示装置）１０１と接続され、互いに、テレビ電話通信を行なうことが可能である。
【００２４】
そして、撮像装置（カメラ）３０で、例えば、電子機器（映像表示装置）１の前にいるユーザ２００を撮影し、そのテレビ電話通信の映像コンテンツ（映像および音声）を、上記テレビ電話ネットワーク（テレビ電話網）１００を介して接続される、テレビ電話通信の相手方である他の電子機器（映像表示装置）１０１に送信する。
【００２５】
また、同様に、例えば、他の電子機器（映像表示装置）１０１は、他の電子機器（映像表示装置）１０１の前にいるユーザを撮影し、そのテレビ電話通信の映像コンテンツ（映像および音声）を、上記テレビ電話ネットワーク（テレビ電話網）１００を介して、上記電子機器（映像表示装置）１に送信する。
【００２６】
電子機器（映像表示装置）１は、この他の電子機器（映像表示装置）１０１から送信されたテレビ電話通信の映像コンテンツ（映像および音声）を受信し、例えば、表示画面８に表示する。
【００２７】
また、この電子機器（映像表示装置）１は、例えば、ＵＳＢ端子等で外付けされる外部記憶機器（ＨＤＤ等）１９を備えている。そして、後述するように、例えば、他の電子機器（映像表示装置）１０１から送信され、電子機器（映像表示装置）１で受信されたテレビ電話通信の映像コンテンツ（映像および音声）を、この外部記憶機器１９に録画する。
【００２８】
図３は、実施形態に係わる電子機器の構成の一例を示すブロック図である。
【００２９】
この実施形態においては、制御部１１はＣＰＵ（１２）を備え、ＣＰＵ（１２）は電子機器（映像表示装置）１を制御する。また、ＲＡＭ（１３）、ＲＯＭ（１４）、フラッシュメモリ１５は、例えば、制御部１１で行われる処理に利用される。
【００３０】
例えば、放送局２５からデジタル放送で映像コンテンツが放送される。放送局２５から放送されたデジタル放送はチューナ３で受信され、選局処理が行われ、デジタル信号の映像コンテンツが信号処理部４に送信される。
【００３１】
信号処理部４で受信されたデジタル信号の映像コンテンツは信号処理が施され、音声処理部６および映像処理部５に送信される。
【００３２】
音声処理部６は、信号処理が施された映像コンテンツを受信し、音声処理を施した信号をスピーカ９に送信する。
【００３３】
スピーカ９は、音声処理が施された信号を受信し、音声を出力する。
【００３４】
また、映像処理部５は、信号処理が施された映像コンテンツを受信し、映像処理を施した信号を表示装置７に送信する。
【００３５】
表示装置７は、映像処理が施された信号を受信し、ＬＣＤパネル等で構成される表示画面（映像表示部）８に映像を表示する。
【００３６】
また、この実施の形態においては、電子機器（映像表示装置）１は内部記憶装置１７を備えている。この内部記憶装置１７は、上記外部記録機器１９と同様に、例えば、他の電子機器（映像表示装置）１０１から送信され、電子機器（映像表示装置）１で受信されたテレビ電話通信の映像コンテンツ（映像および音声）を録画することが可能である。この内部記憶装置１７は、上記受信された映像コンテンツを記録することが可能である。
【００３７】
また、この実施の形態においては、電子機器（映像表示装置）１は、上記のようにＵＳＢ接続やＬＡＮ接続される外部記憶機器１９を備えている。上記受信された映像コンテンツはこの外部記憶機器１９に記録することも可能である。
【００３８】
また、上記のように、電子機器（映像表示装置）１に対するユーザの操作は、例えばリモコン（リモートコントローラ）２１等の操作機器によって指示される。
【００３９】
これらの処理は、上記のように、制御部１１に制御される。
【００４０】
また、電子機器（映像表示装置）１は、送受信部（ネットワークインターフェース）２２、ネットワーク２６を介してサーバ２７に接続され、例えば所定のウェッブページを受信し、ブラウジングすることが可能である。
【００４１】
図４は、実施形態に係る電子機器の映像表示部に表示される、撮像映像における他の映像に置換えたい部分およびこの置換えたい部分の置換え映像を指定可能な表示の一例を示す図である。
【００４２】
図４（ａ）は、例えば、上記のように、電子機器（映像表示装置）１の前にいるユーザ２００が撮像装置（カメラ）３０で撮像され、この撮像映像が他の電子機器（映像表示装置）１０１に送信される場合に、この撮像映像における他の映像に置換えたい部分を指定可能な表示の一例である。
【００４３】
この表示は、図４（ａ）に示すように、例えば、表示画面８に表示される。
【００４４】
ここでは、「撮像映像で他の映像に置換えたい部分を指定してください」と表示され、例えば、リモコン２１を操作するユーザにより、表示されている「顔」４１、「体」４２、「背景」４３から、ユーザが「他の映像に置換えたい部分」が指定される。
【００４５】
ここでは、ユーザにより、「顔」４１が指定されている。
【００４６】
また、電子機器（映像表示装置）１は、図示しない画像認識ソフトウェアを備えており、上記撮像装置（カメラ）３０で撮像された撮像映像から、例えば、ユーザ２００の顔を認識し、表示画面８に表示される「認識した顔」の表示欄４４に、この認識した顔４４ａを表示する。
【００４７】
これにより、ユーザ２００は、撮像映像で他の映像に置換えたい部分を目視で確認することが可能になる。
【００４８】
また、同じく表示画面８に表示される「置換え候補」の表示欄４５に、例えば、電子機器（映像表示装置）１のフラッシュメモリ１５等に予め記憶された「置換え候補」を表示する。
【００４９】
ここでは、「置換え候補」は「顔１」４５ａ、「顔２」４５ｂ、「表示しない」４５ｃが表示されている。
【００５０】
ここでの「置換え候補」は、アバターを用いることが可能である。
【００５１】
ここで、アバターについて説明する。
【００５２】
アバター（ａｖａｔａｒ）とは、例えば、２Ｄ／３Ｄのビジュアルチャットやワールドワイドウェブ上の、比較的大規模なインターネットコミュニティで用いられる、「自分の分身となるキャラクター」、または、そのサービスの名称である。
【００５３】
アバターの多くは、人型をしたコミカルな姿であるが、動物やロボットなど、人以外の姿にすることも可能である。
【００５４】
あるいは、アバターの利用者であるユーザに模した姿にされることがあったり、現実の自分とは違う性別にしたり、あるいは、カスタマイズした姿に合わせて性格を変える等して別の人間に「なりきる」など、ある種の遊びとしても機能することがある。
【００５５】
このように、アバターは、ユーザの視覚に訴えることから、このような遊びやコミュニケーションの形が、容易になりつつある。
【００５６】
また、アバターは、例えば、アイコンという形でアバターの表情を変えることが可能であり、ユーザの顔の表情や感情等を直感的に相手に伝えるのに適している。これにより、例えば、文字によるコミュニケーション（顔文字など）を強化することも可能である。
【００５７】
ユーザは、この置換え候補欄４５に表示されている「置換え候補」、すなわち、「顔１」４５ａ、「顔２」４５ｂ、「表示しない」４５ｃを指定することが可能である。
【００５８】
これにより、上記ユーザ２００によって指定された、撮像映像で他の映像に置換えたい部分が、上記指定された「置換え候補」（「顔１」４５ａ、「顔２」４５ｂ、「表示しない」４５ｃ等）に置換えられ、この置換え映像が撮像映像出力時に出力される。
【００５９】
そして、上記「置換え候補」として「顔１」４５ａまたは、「顔２」４５ｂが指定された場合は、後述するように、電子機器（映像表示装置）１から出力される撮像映像は、ユーザ２００の顔が「顔１」４５ａまたは、「顔２」４５ｂに置換えられる。
【００６０】
また、上記のように、アバターは、表情を変えることが可能であり、上記撮像装置（カメラ）３０で撮像された撮像映像のユーザ２００の顔の表情や感情等を直感的に相手に伝えることが可能である。
【００６１】
また、上記「置換え候補」として「表示しない」４５ｃが指定された場合は、ユーザ２００の顔が表示されない状態（例えば、ユーザ２００の顔が消えている状態）に置換えられる。
【００６２】
図４（ｂ）は、上記図４（ａ）と同様に、例えば、電子機器（映像表示装置）１の前にいるユーザ２００の撮像映像が他の電子機器（映像表示装置）１０１に送信される場合に、この撮像映像における他の映像に置換えたい部分をユーザが指定する表示の一例である。
【００６３】
この実施形態においては、「他の映像に置換えたい部分」を、図４（ｂ）や図４（ｃ）に示すように、複数、重複して指定することが可能である。
【００６４】
ここでは、リモコン２１を操作するユーザにより、表示されている「顔」４１、「体」４２、「背景」４３から、ユーザにより、「他の映像に置換えたい部分」として「顔」４１および「体」４２が指定されている。
【００６５】
また、特に図示しないが、「体」４２も、上記と同様に、電子機器（映像表示装置）１は、図示しない画像認識ソフトウェアを用い、上記撮像装置（カメラ）３０で撮像された撮像映像から、例えば、ユーザ２００の体を認識し、表示画面８に表示される「認識した体」の表示欄（図示せず）４４に、この認識した体を表示する。
【００６６】
また、同様に、表示画面８に表示される「置換え候補」の表示欄（図示せず）に、例えば、電子機器（映像表示装置）１のフラッシュメモリ１５等に予め記憶された「置換え候補」を表示する。
【００６７】
ユーザは、ここに表示されている「置換え候補」を指定することが可能である。
【００６８】
これにより、上記ユーザ２００によって指定された、撮像映像で他の映像に置換えたい部分（ここでは、「顔」と「体」）が、上記指定された「置換え候補」に置換えられ、この置換え映像が撮像映像出力時に出力される。
【００６９】
図４（ｃ）は、上記と同様に、例えば、電子機器（映像表示装置）１の前にいるユーザ２００の撮像映像が他の電子機器（映像表示装置）１０１に送信される場合に、この撮像映像における他の映像に置換えたい部分をユーザが指定する表示の一例である。
【００７０】
ここでは、リモコン２１を操作するユーザにより、表示されている「顔」４１、「体」４２、「背景」４３から、ユーザにより、「他の映像に置換えたい部分」として「顔」４１、「体」４２、「背景」４３が指定されている。
【００７１】
また、特に図示しないが、「背景」４３も、上記と同様に、表示画面８に表示される「置換え候補」の表示欄（図示せず）に、例えば、電子機器（映像表示装置）１のフラッシュメモリ１５等に予め記憶された「置換え候補」を表示する。
【００７２】
ユーザは、ここに表示されている「置換え候補」を指定することが可能である。
【００７３】
これにより、上記ユーザ２００によって指定された、撮像映像で他の映像に置換えたい部分（ここでは、「顔」と「体」と背景）が、上記指定された「置換え候補」に置換えられ、この置換え映像が撮像映像出力時に出力される。
【００７４】
図５は、実施形態に係る電子機器において、撮像映像の置換えたい部分を置換え映像に置換えて出力する例を示す図である。
【００７５】
図５（ａ）は、撮像映像５１の置換えたい部分を置換え映像５２に置換えて出力する例を示す図である。
【００７６】
ここでは、撮像映像５１の置換えたい部分として、例えば、図４（ｃ）のように、「顔」、「体」、「背景」が指定され、これらの置換え映像５２に、予め記憶した絵や写真（アバター）を用い、置換え映像を出力している。
【００７７】
すなわち、ここでは、置換え映像５２は、撮像映像５１に比べ、「顔」、「体」、「背景」が置換えられている。
【００７８】
図５（ｂ）は、撮像映像５３の置換えたい部分を置換え映像５４に置換えて出力する例を示す図である。
【００７９】
ここでは、撮像映像５３の置換えたい部分として、例えば、図４（ｂ）のように、「顔」、「体」が指定され、これらの置換え映像５４に、予め記憶した絵や写真（アバター）を用い、置換え映像を出力している。
【００８０】
すなわち、ここでは、置換え映像５４は、撮像映像５３に比べ、「顔」、「体」が置換えられ、「背景」は撮像映像５３の映像（実物）が用いられている。
【００８１】
図５（ｃ）は、撮像映像５５の置換えたい部分を置換え映像５６に置換えて出力する例を示す図である。
【００８２】
ここでは、撮像映像５５の置換えたい部分として、例えば、図４（ａ）のように、「顔」が指定され、これらの置換え映像５６に、予め記憶した絵や写真（アバター）を用い、置換え映像を出力している。
【００８３】
すなわち、ここでは、置換え映像５６は、撮像映像５５に比べ、「顔」が置換えられ、「体」、「背景」は撮像映像５５の映像（実物）が用いられている。
【００８４】
図５（ｄ）は、撮像映像５７の置換えたい部分を置換え映像５８に置換えて出力する例を示す図である。
【００８５】
ここでは、撮像映像５７の置換えたい部分として、「背景」が指定され、これらの置換え映像５８に、予め記憶した絵や写真（アバター）を用い、置換え映像を出力している。
【００８６】
すなわち、ここでは、置換え映像５８は、撮像映像５７に比べ、「背景」が置換えられ、「顔」、「体」は撮像映像５７の映像（実物）が用いられている。
【００８７】
図６は、実施形態に係る電子機器において、撮像映像の置換えたい部分を置換え映像に置換えて出力する例を示す図である。
【００８８】
ここでは、上記撮像映像に、複数の人物が撮像されている。
【００８９】
図６（ａ）は、撮像された複数の人物が同じ置換え映像（アバター）に置換えられて出力される例を示す図である。
【００９０】
ここでは、例えば、上記複数の人物（ＡさんとＢさん）は、特定せず、同じ置換え映像（アバター）に置換えられて出力されている。
【００９１】
ここでは、撮像映像６１の置換えたい部分として、例えば、「顔」と「体」が指定され、これらの置換え映像６２に、予め記憶した絵や写真（アバター）を用い、置換え映像を出力している。
【００９２】
すなわち、ここでは、置換え映像６２は、撮像映像６１に比べ、上記複数の人物（ＡさんとＢさん）の「顔」と「体」が置換えられている。このとき、「背景」は、撮像映像の映像（実物）が出力される。
【００９３】
図６（ｂ）は、撮像された複数の人物が異なる置換え映像（アバター）に置換えられて出力される例を示す図である。
【００９４】
ここでは、例えば、上記複数の人物（ＡさんとＢさん）の違いを認識し、異なる置換え映像（アバター）に置換えられて出力されている。
【００９５】
ここでは、撮像映像６３の置換えたい部分として、上記と同様に、例えば、「顔」と「体」が指定され、これらの置換え映像６４に、予め記憶した絵や写真（アバター）を用い、置換え映像を出力している。
【００９６】
すなわち、ここでは、置換え映像６４は、複数の人物（ＡさんとＢさん）の「顔」と「体」が異なる置換え映像（アバター）に置換えられて出力されている。このとき、「背景」は、撮像映像の映像（実物）が出力される。
【００９７】
図６（ｃ）は、撮像された複数の人物の特定の人物が置換え映像（アバター）に置換えられて出力される例を示す図である。
【００９８】
ここでは、例えば、上記複数の人物（ＡさんとＢさん）のＡさんが特定され、このＡさんは置換え映像（アバター）に置換えられて出力されている。このとき、Ｂさんは、置換え映像（アバター）に置換えられない。
【００９９】
ここでは、撮像映像６５の置換えたい部分として、上記と同様に、例えば、「顔」と「体」が指定され、これらの置換え映像６６に、予め記憶した絵や写真（アバター）を用い、置換え映像を出力している。
【０１００】
すなわち、ここでは、置換え映像６６は、上記特定されたＡさんが、置換え映像（アバター）に置換えられて出力され、特定されないＢさんは、置換え映像（アバター）に置換えられない映像が出力されている。このとき、「背景」は、撮像映像の映像（実物）が出力される。
【０１０１】
図６（ｄ）は、撮像された複数の人物の、特定の人物を消す（あるいは特定の人物以外は消す）置換え映像（アバター）に置換えられて出力される例を示す図である。
【０１０２】
ここでは、例えば、上記複数の人物（ＡさんとＢさん）のＢさんが特定され、このＢさんを表示しない置換え映像（アバター）に置換えられた置換え映像が出力されている。このとき、Ｂさんは、置換え映像に表示されていない。
【０１０３】
ここでは、撮像映像６７の置換えたい部分として、上記と同様に、例えば、「顔」と「体」が指定され、これらの置換え映像６８に、予め記憶した絵や写真（アバター）を用い、置換え映像を出力している。
【０１０４】
すなわち、ここでは、置換え映像６８は、上記特定されたＢさんを表示しない置換え映像（アバター）に置換えられて出力され、特定されないＡさんは、置換え映像（アバター）に置換えられない映像が出力されている。このとき、「背景」は、撮像映像の映像（実物）が出力される。
【０１０５】
また、この例では、Ｂさんを特定し、このＢさんを表示しない置換え映像（アバター）に置換えているが、これとは反対に、Ａさんを特定し、このＡさん以外を表示しない置換え映像（アバター）に置換えるようにしても良い。
【０１０６】
図７は、実施形態に係る電子機器において、撮像映像における他の映像に置換えたい部分およびこの置換えたい部分の置換え映像を指定し、記憶する動作を説明するフローチャートである。
【０１０７】
ステップＳ１００は、ここでの開始ステップである。続いて、ステップＳ１０１に進む。
【０１０８】
ステップＳ１０１は、電子機器（映像表示装置）１の電源をＯＮにするステップである。続いて、ステップＳ１０２に進む。
【０１０９】
ステップＳ１０２は、撮像映像で他の映像に置換えたい部分の指定画面を表示画面８に表示するステップである。続いて、ステップＳ１０３に進む。
【０１１０】
ステップＳ１０３は、上記のように、撮像映像で他の映像に置換えたい部分をユーザが指定するステップである。撮像映像で他の映像に置換えたい部分は、例えば、図４に示すように、「顔」、「体」、「背景」の一部または全部等である。続いて、ステップＳ１０４に進む。
【０１１１】
ステップＳ１０４は、上記他の映像に置換えたい部分の撮像映像を、表示画面８に表示するステップである。例えば、図４（ａ）の「認識した顔」４４ａのように表示する。続いて、ステップＳ１０５に進む。
【０１１２】
ステップＳ１０５は、表示画面８に、上記他の映像に置換えたい部分の置換え映像候補（アバター）を表示するステップである。例えば、図４（ａ）に示すように「顔１」４５ａ、「顔２」４５ｂ、「表示しない」４５ｃ等である。続いて、ステップＳ１０６に進む。
【０１１３】
ステップＳ１０６は、上記表示された置換え映像候補の中から、ユーザが所望の置換え映像を指定するステップである。続いて、ステップＳ１０７に進む。
【０１１４】
ステップＳ１０７は、上記指定された撮像映像で他の映像に置換えたい部分と、上記指定されたその置換え映像候補（アバター）の情報を、フラッシュメモリ１５に予め記憶するステップである。続いて、ステップＳ１０８に進む。
【０１１５】
ステップＳ１０８は、終了ステップであり、ここでの処理は終了する。
【０１１６】
図８は、実施形態に係る電子機器において、撮像映像を置換え映像（アバター）に置換えて送信指示する表示画面の一例を示す図である。
【０１１７】
図８に示すように、例えば、ユーザのリモコン２１操作により、この撮像映像を置換え映像（アバター）に置換えて送信指示する表示が、電子機器１の表示画面８に表示される。
【０１１８】
ここでは、例えば、「撮像映像を置換え映像（アバター）に置換えて送信しますか？」と表示されている。
【０１１９】
ユーザはリモコン２１を操作し、例えば、「Ｙｅｓ」８１を指定する。これにより、上記撮像映像を置換え映像（アバター）に置換える送信が指示される。
【０１２０】
図９は、実施形態に係る電子機器の動作を説明するフローチャートである。
【０１２１】
ステップＳ２００は、ここでの開始ステップである。続いて、ステップＳ２０１に進む。
【０１２２】
ステップＳ２０１は、電子機器（映像表示装置）１の電源をＯＮにするステップである。続いて、ステップＳ２０２に進む。
【０１２３】
ステップＳ２０２は、撮像映像出力指示が受信されたか、すなわち、上記撮像映像を置換え映像（アバター）に置換える送信指示が受信されたかを判別するステップである。撮像映像出力指示が受信されたと判別される場合は、ステップＳ２０３に進む（Ｙｅｓ）。撮像映像出力指示が受信されないと判別される場合は、ここでの処理を繰り返す（Ｎｏ）。
【０１２４】
ステップＳ２０３は、例えば、フラッシュメモリ１５に予め記憶された、他の映像に置換えたい部分とその置換え映像（アバター）の情報を取得するステップである。続いて、ステップＳ２０４に進む。
【０１２５】
ステップＳ２０４は、上記取得された情報を用い、上記撮像映像の置換えたい部分をその置換え映像（アバター）に置換えて出力するステップである。続いて、ステップＳ２０５に進む。
【０１２６】
ステップＳ２０５は、上記出力された置換え映像（アバター）を送信先（例えば、電子機器１００）に向けて出力（送信）するステップである。続いて、ステップＳ２０６に進む。
【０１２７】
ステップＳ２０６は、電子機器１００は、電子機器１から送信された上記置換え映像（アバター）を受信し、映像表示部に表示するステップである。続いて、ステップＳ２０７に進む。
【０１２８】
ステップＳ２０７は、終了ステップであり、ここでの処理は終了する。
【０１２９】
すなわち、この実施形態の電子機器は、撮像部（カメラ３０）で撮像される撮像映像で、他の映像に置換えたい部分が指定可能な部分指定部（図４）を備える。
【０１３０】
また、上記置換えたい部分が指定された場合に、置換え映像候補（４５）を出力し、上記置換えたい部分の置換え映像が指定可能な置換え映像指定部（図４）を備える。
【０１３１】
また、上記置換え映像が指定された場合に、上記置換えたい部分と上記置換え映像の情報を記憶する記憶部（フラッシュメモリ１５）を備える。
【０１３２】
また、撮像映像の出力指示を受信した場合に、上記記憶された情報を用い、上記撮像映像の上記置換えたい部分を上記置換え映像に置換えて出力する出力部（２２）を備える。
【０１３３】
また、上記部分指定部（「顔」４１、「体」４２、「背景」４３）および上記置換え映像指定部（４５ａ、４５ｂ、４５ｃ）は映像表示部８の表示を含んでいる。
【０１３４】
また、上記他の映像に置換えたい部分（「顔」４１、「体」４２、「背景」４３）および上記置換え映像（４５ａ、４５ｂ、４５ｃ）はユーザに指定される。
【０１３５】
また、上記置換え映像はアバターを含んでいる。
【０１３６】
また、上記置換え映像は、表示を消す等、表示をしない映像を含んでいる。
【０１３７】
また、電子機器１から出力された映像は外部機器（電子機器１０１）に向けて送信する。
【０１３８】
上記のように、近年、例えば、インターネットやＴＶ電話ネットワーク等で接続され、ある電子機器のカメラで撮像された映像を他の電子機器に送信することが可能になっている。
【０１３９】
しかし、これらの電子機器は、例えば、家庭に置かれ、ユーザが寝起きであったり、室内が整理されていなかったりした状態で、上記のような撮像映像の送信が行なわれることがあった。
【０１４０】
このため、ユーザによっては、上記撮像映像をそのままでは送りたくないという場合があった。
【０１４１】
その際、例えば、送信映像をアバター等の映像に差し替えて送る方法があるが、ユーザによっては、通信相手が親しい人物や、信頼できるコミュニティーであった場合には、単純な映像の差し替えでは物足りないと感じることもある。
【０１４２】
そこで、この実施形態においては、上記のように、ユーザが映像送信先に見せても良い部分はそのまま送信し、また、見せたくない部分は上記のように、例えば、表情や動きを反映した、置換え映像（アバター）に置換えて送信することで、映像送信先の人とより深いコミュニケーションをとることが可能になる。
【０１４３】
上記のように構成することによって、この実施形態においては、電子機器から撮像映像を送信する際に、この撮像映像を置換えて送信できるようにすることが可能になる。
【０１４４】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１４５】
なお、上記実施形態は、記述そのものに限定されるものではなく、実施段階では、その趣旨を逸脱しない範囲で、構成要素を種々変形して具体化することが可能である。
【０１４６】
また、上記実施形態に開示されている複数の構成要素の適宜な組み合せにより種々の発明を形成できる。
【０１４７】
例えば、実施形態に示される全構成要素から幾つかの構成要素を削除してもよい。更に、異なる実施形態に亘る構成要素を適宜組み合せてもよい。
【符号の説明】
【０１４８】
１…電子機器（映像表示装置）、８…表示画面（映像表示部）、３０…撮像装置（カメラ）、４１…顔、４２…体、４３…背景、４４…認識した顔の表示部、４５…置換え候補の表示部。
【図１】
2013197740.tif 000003
【図２】
2013197740.tif 000004
【図３】
2013197740.tif 000005
【図４】
2013197740.tif 000006
【図５】
2013197740.tif 000007
【図６】
2013197740.tif 000008
【図７】
2013197740.tif 000009
【図８】
2013197740.tif 000010
【図９】
2013197740.tif 000011